(57)【要約】【課題】用紙トレイへ記録媒体である印画用紙を補充する際の操作を簡易化し、ユーザが行う用紙補充作業をより直感的に行えるようにして、作業性を向上させる。【解決手段】印画用紙を載置可能な載置部を有し上方が開口した筐体３に、筐体３に回転自在に支持され前記開口の少なくとも一部を開閉可能とする第一の蓋体４と、第一の蓋体４に回転自在に支持され第一の蓋体４と離反する側で前記開口の少なくとも一部を開閉可能とする第二の蓋体５とを設ける。この構成においては、第一の蓋体４が前記開口を開いた状態では、第一の蓋体４が開いた前記開口から記録媒体を補充可能となり、第一の蓋体４が前記開口を閉じた状態で第二の蓋体５を開くと、第二の蓋体５が開いた前記開口が印刷装置に対する記録媒体の供給口あるいは排出口として機能し、かつ用紙トレイ１５が印刷装置への取り付けが可能な状態となる。【選択図】  図１
2010111455.tif 000002
【特許請求の範囲】
【請求項１】
記録媒体を載置可能な載置部を有し、上方が開口した筐体と、
前記筐体に回転自在に支持され、前記開口の少なくとも一部を開閉可能とする第一の蓋体と、
前記第一の蓋体に回転自在に支持され、前記第一の蓋体と離反する側で前記開口の少なくとも一部を開閉可能とする第二の蓋体とを備え、
前記第一の蓋体が前記開口を開いた状態では、前記第一の蓋体が開いた前記開口から記録媒体を補充可能となり、
前記第二の蓋体が前記開口を開いた状態では、前記第二の蓋体が開いた前記開口が印刷装置に対する記録媒体の供給口あるいは排出口として機能し、印刷装置への取り付けが可能となることを特徴とする用紙トレイ。
【請求項２】
前記第二の蓋体は、前記開口を開いた状態で印画済みの記録媒体のトレイとして機能することを特徴とする請求項１に記載の用紙トレイ。
【請求項３】
前記第一の蓋体は、前記筐体の中央近傍において回転自在に支持されることを特徴とする請求項１又は２に記載の用紙トレイ。
【請求項４】
前記筐体に回転自在に支持され、前記開口の少なくとも一部を開閉可能とする第三の蓋体を更に備え、
前記第一の蓋体が前記開口を閉じた状態では、前記第三の蓋体は前記開口を閉じた状態で回転動作を規制され、前記第一の蓋体が前記開口を開いた状態では、前記第三の蓋体は回転動作の規制が解除されることを特徴とする請求項１〜３のいずれか１項に記載の用紙トレイ。
【請求項５】
前記第一の蓋体は当該用紙トレイの取り外し側に位置する前記開口を覆い、前記第二の蓋体は当該用紙トレイの装着側に位置する前記開口を覆い、前記第三の蓋体は前記第一の蓋体と前記第二の蓋体とが覆う前記開口の間に生ずる前記開口を覆うことを特徴とする請求項４に記載の用紙トレイ。
【請求項６】
前記第一の蓋体の開閉動作に追従して、前記第三の蓋体が開閉動作を行うことを特徴とする請求項４又は５に記載の用紙トレイ。
【請求項７】
前記第一の蓋体に形成されたカム溝部と、前記第三の蓋体に形成されたカムフォロア部とで、前記第三の蓋体の開閉動作を前記第一の蓋体の開閉動作に追従させることを特徴とする請求項６に記載の用紙トレイ。
【請求項８】
前記第三の蓋体は、その下面において可撓性を有する用紙押さえ板を少なくとも１つ備えることを特徴とする請求項４〜７のいずれか１項に記載の用紙トレイ。
【請求項９】
請求項１〜８のいずれか１項に記載の用紙トレイを着脱可能に備え、該用紙トレイから記録媒体を供給し、該用紙トレイに印画済みの記録媒体を排紙することを特徴とする印刷装置。
【発明の詳細な説明】
【技術分野】
【０００１】
本発明は、印刷装置等の本体に装着され、収納した記録媒体である印画用紙を印刷装置へ給紙する用紙トレイ及びこれを備えた印刷装置に関する。
【背景技術】
【０００２】
従来より印刷装置の一つとしてインクリボンのインクを用紙に熱転写して画像の記録を行う熱転写記録型の印刷装置がある。このような印刷装置の構成の一つに、用紙を給紙する用紙トレイとインクリボンとをそれぞれ別体として、これらを着脱可能あるいは装着可能としたものがある。
【０００３】
印刷装置に着脱可能あるいは装着可能に構成された用紙トレイとしては、従来より図１６乃至図１９に示すような構造が知られている（類似する構成の例としては、特許文献１を参照のこと）。
【０００４】
図１６乃至図１９は、従来の用紙トレイ８０を示した図である。用紙トレイ８０は、上方が開口した箱状のベース部材８１に、ベース部材８１の開口を覆う蓋体８２及び蓋体８３が組み付けられて構成される。
【０００５】
図１６は用紙トレイ８０の側面図である。図１６に示すように、ベース部材８１には、蓋体８２が回転自在（回転矢印ａ方向）に支持されている。ベース部材８１には、その一端側において幅方向（図１６、紙面直行方向）内側に向けて一対の軸８１１が形成されており、蓋体８２には小判型孔８２１が形成されている。この小判型孔８２１に軸８１１を挿通して組み付けることで、ベース部材８１に蓋体８２が回転自在に支持され、蓋体８２がベース部材８１の一部開口を開閉可能となる。蓋体８２はまた、小判型孔８２１の長手方向にスライド自在な構造となっており、蓋体８２を図中Ａ方向へスライドした場合には、ベース部材８１に対して蓋体８２の回転動作が規制される構造となっている。
【０００６】
次に、蓋体８２には、蓋体８３が回転自在（図１６、回転矢印ｂ方向）に支持されている。蓋体８２には、その略中央において幅方向（図１６、紙面直行方向）に向けて穿設された孔８２２が形成されており、蓋体８３には幅方向（図１６、紙面直行方向）内側に向けて一対の軸８３１が形成されている。この軸８３１を孔８２２に挿通して組み付けることで、蓋体８２に蓋体８３が回転自在に支持され、蓋体８３がベース部材８１の一部開口を開閉可能となる。蓋体８３にはまた、その軸８３１と相対する側において、軸８３１に向けて突設された凸部８３２が形成されており、この凸部８３２がベース部材８１に形成された係止部８１２と係合することでベース部材８１に対して蓋体８３が保持される構造となっている。
【０００７】
従来の用紙トレイ８０は上述したように構成され、印刷装置に着脱可能あるいは装着可能に構成される。図１７は用紙トレイ８０を印刷装置１への装着状態とした場合の側面図であり、図１８は用紙トレイ８０を印刷装置１に装着した状態を示した図である。装着の際は、まず図１７に示すように、蓋体８２に回転自在に支持されている蓋体８３を、軸８３１を回転軸として、略１８０°開方向（反時計回り方向）へ回転させ、ベース部材８１の開口８０１を露出させる。そして、この状態で図１８に示すように印刷装置１の給紙トレイ挿入口１１へ用紙トレイ８０を挿入し、印刷装置１の給紙トレイ挿入口１１内部の所定位置まで挿入することで、用紙トレイ８０の印刷装置１への装着が完了する。用紙トレイ８０を印刷装置１に装着した状態においては、開口８０１から印画済みの記録媒体が排紙され、蓋体８３の上まで送られるようになっている。なお、印刷装置１から用紙トレイ８０を取り出す際は前述した操作の逆をたどればよい。
【０００８】
また、用紙トレイ８０では、図１９に示す状態とすることで、印刷用紙９００を補充することができる。補充の際は、まず蓋体８３を軸８３１を回転軸とし、略１８０°開方向（反時計回り方向）へ回転させる。次に、開口８０１が露出した状態（図１７に示す状態）から、更に蓋体８２を小判型孔８２１の長手方向（図１７中でのＢ方向）の回転可能な位相までへスライドさせる。そして蓋体８２を、軸８１１を回転軸として略１８０°開方向（反時計回り方向）へ回転させ、開口８０１と隣接する開口８０２を露出させる。この操作により、ベース部材８１を大きく開口させることで印刷用紙９００を用紙トレイ８０へ補充することが可能になる。
【０００９】
【特許文献１】特開２００２−３３２１２６号公報
【発明の開示】
【発明が解決しようとする課題】
【００１０】
上述のような従来の用紙トレイの構成では、印画用紙を用紙トレイへ補充する際に蓋体を回転させる、蓋体をスライドさせる等の複数の異なる作業動作を含み、それらを所定の作業手順で組み合わせてなる極めて複雑な作業が必要となる。そのため、印画用紙の補充を行うまでに極めて手間がかかり、作業効率を遅延させてしまうという課題があった。
【００１１】
本発明は上記課題を解決するためのものであり、用紙トレイへ記録媒体である印画用紙を補充する際の操作を簡易化し、ユーザが行う用紙補充作業をより直感的に、また円滑かつ的確に行えるようにして作業性を向上させる用紙トレイを提供することを目的とする。
【課題を解決するための手段】
【００１２】
本発明の用紙トレイは、記録媒体を載置可能な載置部を有し、上方が開口した筐体と、前記筐体に回転自在に支持され、前記開口の少なくとも一部を開閉可能とする第一の蓋体と、前記第一の蓋体に回転自在に支持され、前記第一の蓋体と離反する側で前記開口の少なくとも一部を開閉可能とする第二の蓋体とを備え、前記第一の蓋体が前記開口を開いた状態では、前記第一の蓋体が開いた前記開口から記録媒体を補充可能となり、前記第二の蓋体が前記開口を開いた状態では、前記第二の蓋体が開いた前記開口が印刷装置に対する記録媒体の供給口あるいは排出口として機能し、印刷装置への取り付けが可能となることを特徴とする。
また、本発明の印刷装置は、上記に記載の用紙トレイを着脱可能に備え、該用紙トレイから記録媒体を供給し、該用紙トレイに印画済みの記録媒体を排紙することを特徴とする。
【発明の効果】
【００１３】
本発明によれば、単一種類の動作、換言すれば直感的で簡易的な作業動作により、用紙トレイの印刷装置への装着や用紙トレイへの記録媒体の補充をすることができるため、ユーザにとって使い勝手が良く、また作業性を向上させる用紙トレイを提供できる。
【発明を実施するための最良の形態】
【００１４】
以下、本発明の実施の形態について図面を参照して説明する。
（第１の実施の形態）
図１は、本発明の第１の実施の形態に係る用紙トレイ１５の側面図である。用紙トレイ１５は、印刷装置に着脱可能であり、印画済みの記録媒体（以下、印画用紙）のトレイとして機能するとともに、収納した印画前の印画用紙を印刷装置に供給する。なお、本図を含め、以下の説明に用いる図面においては、適所において用紙トレイ１５の印刷装置に対する装着方向と取り外し方向とを、それぞれ矢印ＩＮ、矢印ＯＵＴで示す。
【００１５】
図１に示す用紙トレイ１５は、上方が開口した箱状を呈し、印画用紙を収納・載置する筐体である用紙載置部材３を備える。用紙載置部材３は基本的に、長方形の底部を有し、底部の四辺から側壁を形成することで箱状を呈し、底部に記録媒体を載置可能となっている。用紙載置部材３には、その上方の開口を覆うように用紙載置部材３に回転自在に支持された第一の蓋体４、第一の蓋体４に回転自在に支持された第二の蓋体５、及び用紙載置部材３に回転自在に支持された第三の蓋体６（図３等を参照のこと）が組み付けられる。用紙トレイ１５は、これら部材により主に構成される。以下、図２乃至図１１も参照して用紙トレイ１５の構成を具体的に説明する。
【００１６】
まず第一の蓋体４について説明する。図２（ａ）は、用紙載置部材３及び第一の蓋体４の一部の平面断面図であり、図１０（ａ）は、第一の蓋体４の斜視図である。図１、図２（ａ）に示すように、用紙載置部材３には、その装着あるいは取り外し方向（ＩＮ・ＯＵＴ方向）に延びる側壁の中央近傍において、幅方向それぞれ一対（左右一対）の孔３１が形成される。なお、以下の説明において、装着あるいは取り外し方向（ＩＮ・ＯＵＴ方向）に対する幅方向を左右方向をとして、左右を持ち出し説明する場合もある。一方、図１０（ａ）又は図２（ａ）に示すように、第一の蓋体４には、装着あるいは取り外し方向に対する幅方向内側（図２（ａ）、矢印方向）に向けて孔３１へ嵌合するための軸４１が形成された左右一対のアーム部４ａが形成される。この構成において、孔３１に軸４１を嵌合して組み付けることで、第一の蓋体４が用紙載置部材３に回転支持される。そして、第一の蓋体４が用紙載置部材３の開口の一部を開閉可能となる。ここで第一の蓋体４が開閉可能とする開口の一部は、取り外し方向に位置する用紙載置部材３の第一の開口３６である。
【００１７】
また、第一の蓋体４が用紙載置部材３の第一の開口３６を閉じた状態では、用紙載置部材３が第一の蓋体４を保持するようになっている。図４は用紙トレイ１５の側面断面図であり、図６は用紙トレイ１５を取り外し側から見た斜視図である。図４又は図６に示すように、用紙載置部材３の装着あるいは取り外し方向に対する幅方向に伸びる側壁の取り外し方向側には、凹状に形成された係合部３３が形成される。また、第一の蓋体４の裏面には、軸４１側に向けて突出する凸部４３が形成される。この構成において、第一の蓋体４が用紙載置部材３の上方の第一の開口３６を閉じた状態、即ち図１に示す状態とすると、凸部４３が係合部３３に係合することになり、用紙載置部材３が第一の蓋体４を保持することとなる。
【００１８】
次に、第二の蓋体５について説明する。図１又は図１０（ａ）に示すように、第一の蓋体４の上面には、上方に湾状に隆起し、装着あるいは取り外し方向に対する幅方向に延びる湾状部４２が形成される。図２（ｂ）は、湾状部４２の平面断面及び第二の蓋体５の一部を示した図である。湾状部４２には、その幅方向の両側面において、図２（ｂ）に示すような左右一対の孔４４が形成される。また、第二の蓋体５には、幅方向内側（図２（ｂ）、矢印方向）に向けて一対の孔４４へ嵌合するための一対の軸５１が形成される。この構成において、孔４４に軸５１を嵌合して組み付けることで、第二の蓋体５が第一の蓋体４に回転支持される。そして、第二の蓋体５が用紙載置部材３の開口の一部を開閉可能となる。ここで第二の蓋体５が開閉可能とする開口の一部は、装着方向に位置する用紙載置部材３の第二の開口３５である。即ち、第二の蓋体５は、第一の蓋体４が開閉可能とする開口３６と離反する側の開口３５を開閉可能とする。
【００１９】
また、第二の蓋体５が用紙載置部材３の第二の開口３５を閉じた状態では、用紙載置部材３が第二の蓋体５を保持するようになっている。図４に示すように、第二の蓋体５の裏面には、軸５１側に向けて突出する凸部５２が形成され、用紙載置部材３の装着あるいは取り外し方向に対する幅方向に伸びる側壁の装着方向側には、凹状に形成された係合部３４が形成される。この構成において、第一の蓋体４及び第二の蓋体５が用紙載置部材３の上方の第二の開口３５を閉じた状態、即ち図１に示す状態とすると、凸部５２が係合部３４に係合することになり、用紙載置部材３は第二の蓋体５を保持することとなる。
【００２０】
次に、第三の蓋体６について説明する。図２（ｃ）は用紙載置部材３及び第三の蓋体６の一部の平面図であり、図８は用紙トレイ１５を装着方向側から見た斜視図である。図２（ｃ）又は図８に示すように、用紙載置部材３には、装着あるいは取り外し方向に延伸する側壁に並行するかたちで、底部の装着方向側において左右一対の立壁３ａが形成される。この立壁３ａには第三の蓋体６を支持するための軸３２が形成される。軸３２は、装着あるいは取り外し方向に対する幅方向の外側に向けて形成される。
【００２１】
図１０（ｂ）は、第三の蓋体６の斜視図である。図１０（ｂ）又は図２（ｃ）に示すように、第三の蓋体６には、幅方向（図２（ｃ）、矢印方向）に向けて貫通した軸３２へ嵌合するための孔６１を有する突片６ａが左右一対形成される。そして、孔６１に軸３２を嵌合して組み付けることで、第三の蓋体６が用紙載置部材３に回転支持され、第三の蓋体５が用紙載置部材３の開口の一部を開閉可能となる。なお、図１１（ａ）は、孔６１と軸３２との嵌合状態を示した図である。また、ここで第三の蓋体６が開閉可能とする開口の一部は、第一の開口３６と第二の開口３５との間に位置する用紙載置部材３の第三の開口３７である。
【００２２】
また、図１０（ｂ）に示すように第三の蓋体６には、その上面の角（突片６ａの形成側の反対側）において三角形状で段落ちした段部６２が形成される。一方、第一の蓋体４には、図１０（ａ）に示すようにアーム部４ａと第一の蓋体４の本体との間で生じる角に付設された係止部４５が形成される。この構成において、用紙載置部材３に第一の蓋体４、第三の蓋体６がそれぞれ組み付けられ、かつ第一の蓋体４が閉の状態で用紙載置部材３へ保持されている場合には、段部６２と係止部４５とが当接する。これにより、第一の蓋体４が閉じた状態で用紙載置部材３に保持されている場合には、第三の蓋体６は係止部４５に当接し、回転動作を規制されるようになっている。
【００２３】
以上で説明したような第一の蓋体４、第二の蓋体５及び第三の蓋体６を用紙載置部材３と組み付けることで、用紙トレイ１５は構成される。それぞれの蓋体は用紙載置部材３の開口を覆うが、具体的には第一の蓋体４は用紙載置部材３の開口の取り外し方向側の開口の一部（開口３６）を、第二の蓋体５は装着側の開口の一部（開口３５）を覆う。そして、第三の蓋体６は用紙載置部材３の開口の中央部位で、第一の蓋体４の第二の蓋体５との間に生じるスペース（開口３７）を覆う。
【００２４】
なお、第一の蓋体４、第二の蓋体５及び第三の蓋体６と用紙載置部材３とを組み付ける順番としては、用紙載置部材３へ第三の蓋体６を始めに組み付け、その後に第一の蓋体４、第二の蓋体５を組み付けることになる。また、第一の蓋体４へ第二の蓋体５を予め組み付けた状態のユニットを、第三の蓋体６が組み付けられた用紙載置部材３へ組み付けてもよい。
【００２５】
次に、用紙トレイ１５へ記録媒体である印画用紙を補充、収納する方法について説明する。図３、図４は、第一の蓋体４、第二の蓋体５及び第三の蓋体６を開いた状態とした用紙トレイ１５の側面図、側面断面図である。また、図５、図６は、第一の蓋体４、第二の蓋体５及び第三の蓋体６を開いた状態とした用紙トレイ１５の装着側（ＩＮ側）及び取り出し側（ＯＵＴ側）から見たそれぞれ斜視図である。
【００２６】
印画用紙の補充の際には、まず図１に示した状態である全ての蓋体を閉じた状態から、第二の蓋体５の凸部５２の係合状態を引っぱって解除し、第二の蓋体５を開いた状態とする。次に、第一の蓋体４の凸部４３の係合状態を引っぱって解除し、第一の蓋体４を開いた状態とする。この状態では、用紙トレイ１５は図３〜図６に示す状態となる。
【００２７】
第一の蓋体４を開いた状態、即ち開放させた状態では、用紙載置部材３の取り出し方向側（ＯＵＴ側）の第一の開口３６が露出し、用紙トレイ１５内部の一部が露出する。この状態では、第一の開口３６から印画用紙を用紙載置部材３内に補充可能となるが、この状態では、第三の蓋体６の回転の規制状態は解除される。従って、第三の蓋体６を、軸３２とこれに嵌合する孔６１とを中心に開方向へ回転させることにより、用紙載置部材３の中央に位置する第三の開口３７も露出させることができ、用紙トレイ１５内部の一部を更に露出できる。用紙トレイ１５では、このように、第一の開口３６を開くと、第三の開口３７も開くことができるようにすることで、印画用紙を補充するための開口面積をより拡張するようにして、ユーザが作業しやすい構造としている。また、用紙トレイ１５を、ここで説明した補充可能な状態にするための作業としては、二つ蓋体の回転動作のみであるため、作業が簡易的かつ容易である。
【００２８】
次に、用紙トレイ１５を印刷装置１へ装着する方法について説明する。図７、図８は、印刷装置１への装着可能な状態とした場合の用紙トレイ１５の、それぞれ側面断面図、斜視図である。
【００２９】
まず図１に示した状態である全ての蓋体が閉じた状態から、第二の蓋体５の凸部５２の係合状態を引っぱって解除し、第二の蓋体５を１８０度開いた状態とする。この状態で、用紙トレイ１５は印刷装置１への装着が可能な状態、即ち図７又は図８に示すような状態となる。この状態では、第二の蓋体５の回転により用紙載置部材３の取り出し方向側（ＯＵＴ側）の一部の第二の開口３５が露出し、用紙トレイ１５内部の一部が露出し、第二の開口３５が用紙トレイ１５に収納された印画用紙の給紙口あるいは排紙口として機能する。このように、用紙トレイ１５を、印刷装置１に対して装着可能な状態にするための作業としては、一つ蓋体の回転動作のみであるため、作業が簡易的かつ容易である。そして、図９に示すように印刷装置１への装着が完了した状態では、用紙載置部材３の下部に位置する印刷装置１に備えられた加圧機構（不図示）により、印画用紙が給紙ローラー１２に押し付けられ、印画用紙が開口３５を介して印刷装置１内に搬送される。
【００３０】
また、図７に示すように第三の蓋体６の下面には可撓性を有する紙押さえ板７が貼着されて設けられている。この紙押さえ板７は、印刷装置１の前記加圧機構により給紙ローラー１２側へ押し付けられる印画用紙を加圧機構側へ付勢するために、貼着部位から斜め下方に所定量の位置まで延伸してから斜め上方（給紙方向）へ折り曲げられた形状となっている。印画用紙は前記加圧機構により給紙ローラー１２側へ押し付けられて上方に浮き上がるようにして給紙されるが、紙押さえ板７を設けておくことで、印画用紙は浮き上がり途中で紙押さえ板７と当接することになる。これにより給紙途中の印画用紙は、用紙搬送時の浮き上がり量を制限される。給紙中に印画用紙が浮き上がり過ぎてしまうと、用紙搬送がスムースに行えない場合があるため、紙押さえ板７を設けて浮き上がりを制限することで、良好な用紙搬送を行うことが可能となる。またこのとき、上述したように、第一の蓋体４に形成される係止部４５が第三の蓋体６に形成される段部６２と当接している。このため、第三の蓋体６の回転動作は規制されているので、第三の蓋体６に貼着されている紙押さえ板７についても印刷装置１に装着されているときには所定の位置に保持される構造になっている。なお、紙押さえ板７は、一つ設ける構成であっても、複数設ける構成であっても構わない。また、用紙を補充する際には、第三の蓋体６は回転動作の規制が解除されるので、紙押さえ板７が補充の支障となることもない。
【００３１】
以上、第１の実施の形態を説明した。この第１の実施の形態に係る用紙トレイ１５では、互いに離反する側で用紙載置部材３の開口を開閉可能とする第一の蓋体４と第二の蓋体５とがそれぞれ異なる役割を有している。具体的には、第一の蓋体４が開かれた状態となることで当該開いた開口がユーザによる記録媒体の補充の際の補充口となり、第二の蓋体が開かれた状態となることで当該開口が記録媒体の供給口あるいは排出口として機能し、印刷装置１に装着可能な状態となる。即ち、用紙トレイ１５では、回転させて開閉するという単一種類の作業動作のみ、換言すればユーザにとって直感的で簡易的な作業動作で、印刷装置１の装着や用紙トレイ１５への記録媒体の補充をすることができるようにしている。このため、用紙トレイ１５は、ユーザにとって使い勝手が良く、また所望の作業の作業性を向上させることができる。
【００３２】
また、用紙トレイ１５は第三の蓋体６を備えており、第三の蓋体６には可撓性を有する用紙押さえ板７が少なくとも一つ設けられる。この用紙押さえ板７は、用紙トレイ１５を印刷装置１へ装着し装置本体へ給紙を行う際に、加圧機構により給紙ローラー１２側へ押し付けられた記録媒体である印画用紙を浮き上がりを防止するように当接する。これにより用紙トレイ１５では、用紙搬送時の用紙の浮き上がり量を制限することができるため、良好な用紙搬送を行うことができる。
【００３３】
なお、本実施の形態で説明した構成は適宜変更しても構わない。例えば、回転軸が形成されている箇所を挿通孔とし、挿通孔が形成されている箇所を回転軸とすることで、その嵌合の関係性を入れ替えても良い。また、挿通孔に限らず、回転軸を保持できる構造であれば、例えば図１１（ｂ）のような鍵穴状孔６４に軸３２を嵌合しても良い。
【００３４】
（第２の実施の形態）
次に、本発明の第２の実施の形態について図１２乃至図１５を用いて説明する。本実施の形態に係る用紙トレイの構成は、基本的に第１の実施の形態と同様であり、用紙載置部材３に三種類の蓋体が組み付けられて構成される。相違する点としては、第１の実施の形態に係る第一の蓋体４と第三の蓋体６との間にカム機構が構成され、第一の蓋体を開くことで、第三の蓋体も追従して開くようになっている。以下の説明では、第１の実施の形態と共通する部位については同符号を用いて説明し、主に第１の実施の形態との相違点について説明する。
【００３５】
図１２は、本実施の形態に係る第一の蓋体４'の側面断面図である。図１２に示すように、第一の蓋体４'には、軸４１の形成面において、軸４１中心と離間した位置にカム溝部４６が形成されている。一方、図１３は、本実施の形態に係る第三の蓋体６'の一部を示した平面図である。図１３に示すように、第三の蓋体６'には、幅方向外側に向けて突設されたカムフォロア部６３が形成されている。カム溝部４６とカムフォロア部６３とは、用紙載置部材３に組み合わされた際に互いに対向する位置に配置され、カム溝部４６にカムフォロア部６３が嵌合されて当接するように組み合わされる。
【００３６】
図１４は、本実施の形態に係る用紙トレイの側面透視図である。この状態においては、カムフォロア部６３がカム溝部４６に嵌合されて組み付けられ、カムフォロア部６３とカム溝部４６とが当接されている。この状態で用紙トレイ１５へ印画用紙を補充する際には、第１の実施の形態と同様に、全ての蓋体が閉の状態から第一の蓋体４'を軸４１を中心に開放位置まで回転させる。このように第一の蓋体４'を開方向へ回転させると、カム溝部４６に嵌合して配置されたカムフォロア部６３がカム溝部４６の回転カーブに倣うかたちで、第一の蓋体４'の動作に追従するように開閉動作を行う。つまり、第一の蓋体４'を開くことにより露出する第一の開口３６と第三の蓋体６'を開くことにより露出する第三の開口３７とが同時に露出することになる。図１５は、第一の蓋体４'を開放した状態における本実施の形態に係る用紙トレイの側面透視図である。
この構成により、本実施の形態に係る用紙トレイでは、印画用紙を補充するための開口面積がより広く確保されるようになるため、用紙トレイ１５へ印画用紙を補充する際に、よりユーザが快適かつ容易に作業を行うことができるようになる。
【図面の簡単な説明】
【００３７】
【図１】本発明の第１の実施の形態に係る用紙トレイの側面図である。
【図２】本発明の第１の実施の形態に係る用紙トレイを構成する蓋体の回転軸嵌合状態を説明するための図である。
【図３】本発明の第１の実施の形態に係る用紙トレイの記録媒体の補充状態における側面図である。
【図４】本発明の第１の実施の形態に係る用紙トレイの記録媒体の補充状態における側面断面図である。
【図５】本発明の第１の実施の形態に係る用紙トレイの記録媒体の補充状態における斜視図である。
【図６】本発明の第１の実施の形態に係る用紙トレイの記録媒体の補充状態における斜視図である。
【図７】本発明の第１の実施の形態に係る用紙トレイの印刷装置への装着状態における側面断面図である。
【図８】本発明の第１の実施の形態に係る用紙トレイの印刷装置への装着状態における斜視図である。
【図９】本発明の第１の実施の形態に係る用紙トレイを印刷装置へ装着した状態を示した図である。
【図１０】本発明の第１の実施の形態に係る用紙トレイを構成する第一の蓋体および第三の蓋体を示した図である。
【図１１】本発明の第１の実施の形態に係る用紙トレイにおける、第三の蓋体と用紙載置部材との回転支持状態を説明する図である。
【図１２】本発明の第２の実施の形態に係る第一の蓋体の側面断面図である。
【図１３】本発明の第２の実施の形態に係る第三の蓋体の一部を示した平面図である。
【図１４】本発明の第２の実施の形態に係る用紙トレイの側面透視図である。
【図１５】本発明の第２の実施の形態に係る用紙トレイの記録媒体の補充状態における側面透視図である。
【図１６】従来の用紙トレイの側面図である。
【図１７】従来の用紙トレイの印刷装置への装着状態における側面図である。
【図１８】従来の用紙トレイを印刷装置へ装着した状態を示す図である。
【図１９】従来の用紙トレイの記録媒体の補充状態における側面図である。
【符号の説明】
【００３８】
１  印刷装置
３  用紙載置部材
４  第一の蓋体
５  第二の蓋体
６  第三の蓋体
７  用紙押さえ板
１５  用紙トレイ
３５  第二の開口
３６  第一の開口
３７  第三の開口
４６  カム溝部
６３  カムフォロア部
【図１】
2010111455.tif 000003
【図２】
2010111455.tif 000004
【図３】
2010111455.tif 000005
【図４】
2010111455.tif 000006
【図５】
2010111455.tif 000007
【図６】
2010111455.tif 000008
【図７】
2010111455.tif 000009
【図８】
2010111455.tif 000010
【図９】
2010111455.tif 000011
【図１０】
2010111455.tif 000012
【図１１】
2010111455.tif 000013
【図１２】
2010111455.tif 000014
【図１３】
2010111455.tif 000015
【図１４】
2010111455.tif 000016
【図１５】
2010111455.tif 000017
【図１６】
2010111455.tif 000018
【図１７】
2010111455.tif 000019
【図１８】
2010111455.tif 000020
【図１９】
2010111455.tif 000021